(57)【要約】【課題】  ループアンテナを内蔵したイヤホンおよびループアンテナを提供する。【解決手段】  ループ形状部分は、ユーザの首に掛けて使用する部分である。ユーザは、多極コネクタ５と多極コネクタ６を外してループ形状部分を広げた状態で首に掛け、その後、多極コネクタ５と多極コネクタ６を接続する。ループアンテナ４は、多極コネクタ５、６を接続することにより、複数回ループしたループアンテナとすることができる。これにより、ＡＭ放送用の比較的長い電波波長に対応した所望のアンテナ長とすることができる。また、音響信号線９、１０もループアンテナ４に併設し、レシーバ７、８に接続される。【選択図】  図２
2008061011.tif 000002
【特許請求の範囲】
【請求項１】
少なくとも１回ループするアンテナ線と、
前記アンテナ線のループの開始および終了点に位置する分岐部と、
前記アンテナ線のループの途中に設けられて当該アンテナ線を電気的に接続する第１接点を有する第１コネクタと、
前記第１コネクタの第１接点と勘合して前記アンテナ線を電気的に接続する第２接点を有する第２コネクタと、
音声を出力する音響レシーバと、
前記分岐部を経由し、前記第２コネクタと前記分岐部との間の前記アンテナ線の少なくとも一部に併設して配線され、前記分岐部側の端部が音響信号源に接続され、他の端部が前記音響レシーバに接続される音響信号線とを
具備することを特徴とするイヤホン。
【請求項２】
少なくとも１回ループするアンテナ線と、
前記アンテナ線のループの開始および終了点に位置する分岐部と、
前記アンテナ線のループの途中に設けられて当該アンテナ線を電気的に接続する第１接点を有する第１コネクタと、
前記第１コネクタの第１接点と勘合して前記アンテナ線を電気的に接続する第２接点および音響信号線を電気的に接続する第３接点を有する第２コネクタと、
前記分岐部を経由し、前記第２コネクタと前記分岐部との間の前記アンテナ線に併設して配線され、前記分岐部側の端部が音響信号源に接続され、他の端部が前記第２コネクタの第３接点に接続される音響信号線とを
具備することを特徴とするイヤホン。
【請求項３】
少なくとも１回ループするアンテナ線と、
前記アンテナ線のループの途中に設けられて当該アンテナ線を電気的に接続する第１接点を有する第１コネクタと、
前記アンテナ線のループの開始および終了点に位置し、前記第１コネクタの第１接点と勘合して前記アンテナ線を電気的に接続する第４接点を有する分岐部と、
音声を出力する音響レシーバと、
前記分岐部を経由し、前記アンテナ線の少なくとも一部に併設して配線され、前記分岐部側の端部が音響信号源に接続され、他の端部が前記音響レシーバに接続される音響信号線とを
具備することを特徴とするイヤホン。
【請求項４】
少なくとも１回ループするアンテナ線と、
前記アンテナ線のループの開始および終了点に位置し、ＩＣチップを搭載するＩＣブロック部と、
前記アンテナ線のループの途中に設けられて当該アンテナ線を電気的に接続する第１接点を有する第１コネクタと、
前記第１コネクタの第１接点と勘合して前記アンテナ線を電気的に接続する第２接点を有する第２コネクタとを
具備することを特徴とするループアンテナ。
【請求項５】
前記ループ形状の前記アンテナ線よりも内心側に磁性体を設けたことを特徴とする請求項４に記載のループアンテナ。
【発明の詳細な説明】
【技術分野】
【０００１】
本発明は、ループアンテナを内蔵したイヤホンおよびループアンテナに関する。
【背景技術】
【０００２】
イヤホンマイク接続コードの途中にラジオを内蔵したイヤホンマイクがある（例えば、特許文献１参照。）。この特許文献１のラジオを内蔵したイヤホンマイクは携帯電話に接続される。そして、イヤホンマイクで携帯電話の通話およびラジオ音声の聴取を行うことができる。
【特許文献１】特開２００１−３０８９７９号公報（第１頁、図１）
【発明の開示】
【発明が解決しようとする課題】
【０００３】
従来の背景技術に開示されたイヤホンマイクおよび携帯電話には、ラジオ用のアンテナに関する記載がない。特に、ＡＭラジオの場合、ＡＭ用アンテナのエレメント長は長いために、その実装をどのように行うかという問題がある。  
本発明は、上記の問題点を解決するためになされたもので、ループアンテナを内蔵したイヤホンおよびループアンテナを提供することを目的とする。
【課題を解決するための手段】
【０００４】
上記目的を達成するために、本発明のイヤホンは、少なくとも１回ループするアンテナ線と、前記アンテナ線のループの開始および終了点に位置する分岐部と、前記アンテナ線のループの途中に設けられて当該アンテナ線を電気的に接続する第１接点を有する第１コネクタと、前記第１コネクタの第１接点と勘合して前記アンテナ線を電気的に接続する第２接点を有する第２コネクタと、音声を出力する音響レシーバと、前記分岐部を経由し、前記第２コネクタと前記分岐部との間の前記アンテナ線の少なくとも一部に併設して配線され、前記分岐部側の端部が音響信号源に接続され、他の端部が前記音響レシーバに接続される音響信号線とを具備することを特徴とする。
【発明の効果】
【０００５】
本発明によれば、ループアンテナを内蔵したイヤホンおよびループアンテナとすることができる。
【発明を実施するための最良の形態】
【０００６】
以下、本発明の実施例を、図面を参照して説明する。
【実施例１】
【０００７】
実施例１は、ループアンテナと一体化してユーザの首に掛けるネックレス型のイヤホンに関する。  
図１は、本発明の実施例１に係るイヤホンと携帯電話の外観図である。イヤホン１００は携帯電話２００に接続して使用される。イヤホン１００は、イヤホンプラグ１、ＡＭラジオ２、分岐ブロック３、ループアンテナ４、多極コネクタ５（第２コネクタ）、多極コネクタ６（第１コネクタ）、レシーバ７、レシーバ８などにより構成される。イヤホンプラグ１は、携帯電話２００のイヤホンジャック２３に接続される。ＡＭラジオ２は、ＡＭラジオ放送の受信機能を有する。分岐ブロック３は、ループアンテナ４で分岐する起点である。ループアンテナ４は、多極コネクタ５と多極コネクタ６が接続された状態でループを形成し、ＡＭラジオ放送の受信アンテナとしてＡＭラジオ２に接続される。多極コネクタ５と多極コネクタ６は一対のコネクタである。レシーバ７、レシーバ８は、ユーザへの音声出力用であり、レシーバ７はユーザの左耳用、レシーバ８はユーザの右耳用である。レシーバ７、レシーバ８は、イヤホンタイプやヘッドホンタイプであってもよい。
【０００８】
携帯電話２００は、表示部２０、スピーカ２１、操作キー２２、イヤホンジャック２３などを有する。  
イヤホン１００と携帯電話２００が接続された状態で、ラジオ機能、電話機能について説明する。ＡＭラジオ２用の電源は、携帯電話２００から供給される。表示部２０は、ＡＭラジオ２の選局情報やボリューム情報、又は電話機能についての情報などが表示される。スピーカ２１又はレシーバ７、８には、ＡＭラジオ２の音声や電話音声が出力される。操作キー２２は、ＡＭラジオ２の選局やボリューム調整、又は電話機能用として使われる。
【０００９】
図２は、本発明の実施例１に係るイヤホンのループアンテナ部分の接続図と断面図である。（ａ）は接続図、（ｂ）、（ｃ）はループ形状部分の断面図である。  
（ａ）において、ループ形状部分は、ユーザの首に掛けて使用する部分である。ユーザは、多極コネクタ５と多極コネクタ６を外してループ形状部分を広げた状態で首に掛け、その後、多極コネクタ５と多極コネクタ６を接続する。そして、レシーバ７とレシーバ８を耳に装着する。
【００１０】
多極コネクタ５と多極コネクタ６が接続されると、それぞれの接点５ａ（第２接点）と接点６ａ（第１接点）が電気的に接続される。ＡＭラジオ２からのループアンテナ４の２本の線材の内の１本は、分岐ブロック３からループ形状の図示した右側を経由し、接点６ａ、接点５ａを経由し、ループ形状の図示した左側を経由して、分岐ブロック３へ戻り、１回転目のループとなる。更に、ループ形状の右側、接点６ａ、接点５ａ、ループ形状の左側を経由することを繰り返し、１本の連続した３回転分のループアンテナとなる。
【００１１】
ＡＭラジオ放送の電波波長は比較的長いが、このループ形状により、所望のアンテナ長さを確保することができる。また、ループ形状の大きさに合わせて、ループ回転数を適宜選ぶことにより、所望のアンテナ長とすることができる。その場合、ループ回転数に合わせた接点数の多極コネクタを用いればよい。ループ形状が小さい場合でも、多極コネクタを開いてユーザの首に掛けた後、多極コネクタを接続することにより、ユーザの首に掛けることができる。
【００１２】
太線で示した音響信号線９、１０は、携帯電話２００からの音声信号や、ラジオ２の音声信号が伝達される。音響信号線９は、音声信号のリターン線を含む２本の線からなるペア線であり、分岐ブロック３からループ形状の左側を経由し、多極コネクタ５を経由してレシーバ７に接続される。この音響信号線９を構成する２本は、配線を分離することはしない。すなわち、音響信号線９の内の１本をループ形状の左側を通し、音響信号線９の内の他の１本をループ形状の右側を通すことはしない。左側と右側をそれぞれ通すと、音響信号線９自体がループアンテナ４と同様にループ形状となってしまい、ループアンテナ４の性能に悪影響を及ぼしてしまう。
【００１３】
音響信号線１０も、音声信号のリターン線を含む２本の線からなるペア線であり、分岐ブロック３からループ形状の右側を経由し、多極コネクタ６を経由してレシーバ８に接続される。この音響信号線１０を構成する２本は、音響信号線９と同様の理由で、配線を分離することはしない。  
ループ形状部分は、点線で示した被覆１１により覆われて保護される。
【００１４】
（ｂ）は、（ａ）接続図のＡ−Ａ方向から見た断面図の１例である。平型の構造とし、ループ形状の内側、すなわち、人体に接する側を磁性体１２とし、ループ形状の外側にループアンテナ４の線材を配置した構造である。この平型の構造は、また、ある程度の剛性を持ち、捩れない構造とし、常に磁性体１２がループ形状の内側に向くものとする。
【００１５】
人体は電波の吸収体であり、人体とループアンテナ４の線材との距離が近いと受信電波感度を低下させてしまうが、人体とループアンテナ４の線材との間に磁性体１２を配置することにより、受信電波感度の低下を防ぐことができる。
【００１６】
（ｃ）は、（ａ）接続図のＡ−Ａ方向から見た断面図の他の例である。丸型の構造とし、中心部にループアンテナ４の線材を配置する。また、断面の直径を５ｍｍ程度以上の大きさとする。これにより、人体とループアンテナ４の線材との距離を数ｍｍ以上確保することができ、受信電波感度の低下を防ぐことができる。
【００１７】
なお、断面構造は、平型や丸型に限らず、他の形状であってもよい。  
また、図１、図２において、レシーバ７とレシーバ８への配線は、多極コネクタ５と多極コネクタ６の部分を経由して配線したが、多極コネクタ５と多極コネクタ６の部分を経由せずに、被覆１１の途中部分から引き出して配線してもよい。  
また、レシーバ７とレシーバ８は、どちらか一方のみを設けてもよい。  
また、図１、図２において、ＡＭラジオ２と分岐ブロック３は、別々の構成としたが、まとめて１つの構成であってもよい。
【００１８】
図１、図２の実施例によれば、多極コネクタを用いて、ループ回転数を増やして、ＡＭラジオ放送の所望のアンテナ長を確保することができる。また、多極コネクタ５、６を着脱することにより、ループ形状部分をユーザの首へ装着することが容易に行うことができる。また、音響信号線も実装したループアンテナとすることが可能となる。
【００１９】
図３は、本発明の実施例１の他の例に係るイヤホンのループアンテナ部分の接続図である。図２との相違点は、レシーバ７とレシーバ８部分を取り外せる構造にした点である。図２と同一部分については同じ番号を付して、相違点を主に説明する。
【００２０】
イヤホン１４は、市販されている汎用製品であり、レシーバ７、レシーバ８、イヤホンプラグ１３、線材などで構成される。イヤホンプラグ１３は、端子数４個であり、レシーバ７の信号線２本とレシーバ８の信号線２本が接続される。多極コネクタ５は、接点５ａとは別に、端子数４個のイヤホンジャック５ｂ（第３接点）を備える。そして、イヤホン１４のイヤホンプラグ１３と多極コネクタ５のイヤホンジャック５ｂが着脱自在に接続される。
【００２１】
ＡＭラジオ２からの音響信号線９（２本）は、ループ形状部分の左側を経由して、イヤホンジャック５ｂの端子２本に接続される。ＡＭラジオ２からの音響信号線１０（２本）は、同様に、ループ形状部分の左側を経由して、イヤホンジャック５ｂの端子２本に接続される。音響信号線９を構成する２本は、まとめて、ループ形状部分の左側を通る。音響信号線１０を構成する２本も、まとめて、ループ形状部分の左側を通る。  
なお、レシーバ７とレシーバ８を取り外した場合でも、ＡＭラジオ２の音声は、携帯電話２００のスピーカ２１から音声を出力できる。
【００２２】
図３の実施例によれば、図２の効果に加えて、イヤホン１４が着脱自在に接続可能であるため、ユーザは、市販の好みのイヤホンを使用することができるようになる。
【００２３】
図４は、本発明の実施例１の他の例に係るイヤホンのループアンテナ部分の接続図である。図２との相違点は、多極コネクタ５と多極コネクタ６を分岐ブロック３の近傍に設けた点である。
【００２４】
分岐ブロック３は、多極コネクタ５及びその接点５ａ（第４接点）を内蔵する構造である。この多極コネクタ５に、多極コネクタ６が着脱自在に接続される。レシーバ７とレシーバ８への音響信号線９、１０の配線は、被覆１１の途中部分から引き出して配線される。
【００２５】
図４の実施例によれば、ループ形状が小さい場合でも、多極コネクタを開いてユーザの首に掛けた後、多極コネクタを接続することにより、ユーザの首に掛けることができる。その他の効果も図２と同様である。
【実施例２】
【００２６】
実施例２は、ユーザの手首に掛けるブレスレット型のループアンテナに関する。用途は、部屋の入出場管理などに用いられる。  
図５は、本発明の実施例２に係るブレスレット型のループアンテナの接続図と断面図である。（ａ）は接続図、（ｂ）はループ形状部分の断面図である。実施例１の図２と同じ機能部分については同じ番号を付している。実施例１との相違点は、イヤホン部分がないこと、ＩＣブロックにＩＣチップを内蔵している点などである。
【００２７】
無線通信を行うＩＣカードなどの周波数帯は、各種の周波数帯があり、比較的低い周波数帯も規格化されている。低い周波数帯の場合、アンテナ長が長いため、通常のＩＣカードではアンテナの搭載がむずかしい。長いアンテナ長を確保し、携帯性も良くするために、ブレスレット型を提案する。
【００２８】
ループアンテナ４のループ部分は、ユーザの手首に掛ける部分である。アンテナ長を確保するために、ループ回数を適宜増やすことで対応する。また、手首への装着性を良くするために、多極コネクタ５、６を着脱する。ＩＣブロック１５は、ＩＣチップ１６を搭載し、ループアンテナ４の端部が接続される。ＩＣチップ１６は、ＩＣカードなどと同様の通信処理、信号処理、受信電波による発電処理などを有する。
【００２９】
（ｂ）は、（ａ）接続図のＡ−Ａ方向から見た断面図の１例である。ループアンテナ４のループ部分には、ユーザの手首が挿入されるため、電波が吸収されて電波感度が低下してしまうが、ユーザの手首とループアンテナ４の線材との間に磁性体１２を配置することにより、受信電波感度の低下を防ぐことができる。
【００３０】
本発明の実施例２によれば、多極コネクタを用いて、ループ回転数を増やして、低周波数帯の所望のアンテナ長を確保することができる。また、多極コネクタ５、６を着脱することにより、ループ形状部分をユーザの手首へ装着することが容易に行えるようになる。そして、小型で携帯性の良い入出場管理などに使用することができる。
【図面の簡単な説明】
【００３１】
【図１】本発明の実施例１に係るイヤホンと携帯電話の外観図。
【図２】本発明の実施例１に係るイヤホンのループアンテナ部分の接続図と断面図。
【図３】本発明の実施例１の他の例に係るイヤホンのループアンテナ部分の接続図。
【図４】本発明の実施例１の他の例に係るイヤホンのループアンテナ部分の接続図。
【図５】本発明の実施例２に係るブレスレット型のループアンテナの接続図と断面図。
【符号の説明】
【００３２】
１  イヤホンプラグ
２  ＡＭラジオ
３  分岐ブロック
４  ループアンテナ
５  多極コネクタ
５ａ  接点
５ｂ  イヤホンジャック
６  多極コネクタ
６ａ  接点
７、８  レシーバ
９、１０  音響信号線
１１  被覆
１２  磁性体
１３  イヤホンプラグ
１４  イヤホン
１５  ＩＣブロック
１６  ＩＣチップ
２０  表示部
２１  スピーカ
２２  操作キー
２３  イヤホンジャック
１００  イヤホン
２００  携帯電話
【図１】
2008061011.tif 000003
【図２】
2008061011.tif 000004
【図３】
2008061011.tif 000005
【図４】
2008061011.tif 000006
【図５】
2008061011.tif 000007